(57)【要約】      （修正有）【課題】壁面パネルの漏水のおそれを低減し、また固定部材の結露をより防止し、さらにまた固定部材の取り付けの作業性を向上させることのできる壁面パネルの表面材及びこの表面材を用いた壁面パネルを提供する。【解決手段】断熱材４０を挟み込んでサンドイッチ構造とする壁面パネル１０に用いられる壁面パネル１０の裏側表面材３０において、ボルト７０が螺着可能なナット部６０が溶着された補強部５２を裏側表面材３０にあらかじめ固着し、反対側の表側表面材２０にはボルト７０が貫通しない構成とした。【選択図】図３
0003235580.tif 000002
【実用新案登録請求の範囲】
【請求項１】
断熱材を挟み込んでサンドイッチ構造とする壁面パネルに用いられる壁面パネルの表面材であって、螺着部材が螺着可能な固定部が表面材の内側面に固着され、前記固定部は、前記表面材の本体部に固着されている補強部を備え、前記補強部には前記壁面パネル内に断熱材としての液体状の発泡樹脂フォームを注入する際に前記壁面パネル内部への流動性を上げるために開口された流通孔が形成されている壁面パネルの表面材。
【請求項２】
前記固定部は、前記表面材の本体部に固着されている補強部 を備えている請求項１に記載の壁面パネルの表面材。
【請求項３】
前記補強部は前記表面材の本体部に溶着されている請求項２に記載の壁面パネルの表面材。
【請求項４】
前記螺着部材はボルトであり、前記ボルトが螺着可能な固定部には雌ねじ部が設けられている請求項１から請求項３のいずれかに記載の壁面パネルの表面材。
【請求項５】
前記螺着部材はナットであり、前記ナットが螺着可能な固定部にはボルトが備えられている請求項１から請求項３のいずれかに記載の壁面パネルの表面材。
【請求項６】
前記固定部は、プレート状の補強部と雌ねじ部を有するナット部を備えている請求項１から請求項４のいずれかに記載の壁面パネルの表面材。
【請求項７】
前記固定部は、プレート状の補強部と雄ねじ部を有するボルト部を備えている請求項１から請求項３または請求項５のいずれかに記載の壁面パネルの表面材。
【請求項８】
請求項１から請求項７のいずれかの前記表面材を用いた壁面パネル 。
【請求項９】
断熱材を挟み込んでサンドイッチ構造とする壁面パネルに用いられる壁面パネルの表面材であって、螺着部材が螺着可能な固定部が表面材の内側面に固着され、前記固定部は、前記表面材の本体部に固着されている補強部を備え、前記補強部には前記壁面パネル内に断熱材としての液体状の発泡樹脂フォームを注入する際に前記壁面パネル内部への流動性を上げるために開口された流通孔が形成され、前記補強部は前記表面材の本体部に溶着され、前記螺着部材はボルトであり、前記ボルトが螺着可能な固定部には雌ねじ部が設けられ、前記固定部は、プレート状の補強部と雌ねじ部を有するナット部を備えている壁面パネルの表面材。
【考案の詳細な説明】
【技術分野】
【０００１】
本考案は、壁面パネルの表面材及びこの表面材を用いた壁面パネルに関し、特に外壁用の壁面パネル表面材及びこの表面材を用いた壁面パネルに関する。
【背景技術】
【０００２】
従来から、表裏に鋼材等の表面材（パネル）を配し、これらの表面材の間にロックウール等の不燃性を有した断熱材を挟み込んでサンドイッチ構造とした壁面パネルが知られている。このような壁面パネルは、ロックウールのように内部に小さな空間を有しながらも一定以上の密度の断熱材をパネル間に配置することにより、加熱された表面材から反対側への表面材への空気を介する熱の移動を制限して耐火・難燃性・不燃性等の効果を向上させることができる。そして一方、このような壁面パネルを特に外壁に用いる場合、建築物の躯体（鉄製角パイプ）等に対して、ボルトをパネルに貫通させて躯体に縫い付けていく方法をとる。表裏の両面の表面材をボルト及びナット等の固定部材で固定している（特許文献１参照）。
【先行技術文献】
【特許文献】
【０００３】
【特許文献１】特開２００４−１１３７４号公報（図１）
【考案の概要】
【考案が解決しようとする課題】
【０００４】
しかしながら従来の壁面パネルでは、表裏の表面材をボルト等の固定部材で貫通して固定しているため、下記の問題点が生じていた。表裏の表面材にそれぞれ貫通孔が設けられているため、これらの貫通孔を介した壁面パネルの一方の側から反対の側への漏水が生ずる恐れがある。また、固定部材は通常金属製であり、表裏の表面材間に配設されているロックウール等の断熱材よりも熱伝導性が高い。よって、表面材の一方の側の熱が、他方の表面材の表側に、貫通している固定部材の一部を介して伝わりやすい。このため、壁面パネルの表側と裏側の温度差がある場合、固定部材が熱橋になり固定部材に結露が生じ、サビの原因にもなったり、壁面パネル全体の耐熱性に問題が生じていた。また、壁面パネルの一方の側からボルトを差し込み、他方の側のナットに螺着するなど、壁面パネルの表裏の両面での作業が必要となるため、作業性についても問題となっていた。
【０００５】
本考案は、前述した従来技術の問題を解決するものであり、壁面パネルの漏水のおそれを低減し、また固定部材の結露をより防止し、さらにまた固定部材の取り付けの作業性を向上させることのできる壁面パネルの表面材及びこの表面材を用いた壁面パネルを提供することを目的とする。
【課題を解決するための手段】
【０００６】
前述の目的を達成する手段は、以下のものである。
（１）  断熱材を挟み込んでサンドイッチ構造とする壁面パネルに用いられる壁面パネルの表面材であって、螺着部材が螺着可能な固定部が表面材の内側面に固着され、前記固定部は、前記表面材の本体部に固着されている補強部を備え、前記補強部には前記壁面パネル内に断熱材としての液体状の発泡樹脂フォームを注入する際に前記壁面パネル内部への流動性を上げるために開口された流通孔が形成されている壁面パネルの表面材。
【０００７】
壁面パネルを構成する表面材に、ボルトなどの螺着部材が螺着可能な固定部が予め固着されている。このため、建築物の躯体に対する壁面パネルの固定の際には、この予め固着された固定部に螺着部材を螺着するだけで良い。よって、サンドイッチ構造を構成する表裏の表面材のうち、固定部が固着された表面材のみに対して螺着部材の固定が可能であり、反対側の表面材にも螺着部材を貫通させてナット等により固定する必要は無い。このため、ボルトなどの螺着部材を挿通させるための貫通孔は、固定部を固着した側の表面材に設けるだけで良く、もう一方の表面材に貫通孔を設ける必要が無い。
【０００８】
（２）前記固定部は、前記表面材の本体部に固着されている補強部を備えている（１）に記載の壁面パネルの表面材。
（３）前記補強部は前記表面材の本体部に溶着されている（２）に記載の壁面パネルの表面材。
【０００９】
（４）前記螺着部材はボルトであり、前記ボルトが螺着可能な固定部には雌ねじ部が設けられている（１）から（３）のいずれかに記載の壁面パネルの表面材。
（５）前記螺着部材はナットであり、前記ナットが螺着可能な固定部にはボルトが備えられている（１）から（３）のいずれかに記載の壁面パネルの表面材。
【００１０】
（６）前記固定部は、プレート状の補強部と雌ねじ部を有するナット部を備えている（１）から（４）のいずれかに記載の壁面パネルの表面材。
（７）前記固定部は、プレート状の補強部と雄ねじ部を有するボルト部を備えている（１）から（３）または（５）のいずれかに記載の壁面パネルの表面材。
（８）（１）から（７）のいずれかの前記表面材を用いた壁面パネル。
（９）断熱材を挟み込んでサンドイッチ構造とする壁面パネルに用いられる壁面パネルの表面材であって、螺着部材が螺着可能な固定部が表面材の内側面に固着され、前記固定部は、前記表面材の本体部に固着されている補強部を備え、前記補強部には前記壁面パネル内に断熱材としての液体状の発泡樹脂フォームを注入する際に前記壁面パネル内部への流動性を上げるために開口された流通孔が形成され、前記補強部は前記表面材の本体部に溶着され、前記螺着部材はボルトであり、前記ボルトが螺着可能な固定部には雌ねじ部が設けられ、前記固定部は、プレート状の補強部と雌ねじ部を有するナット部を備えている壁面パネルの表面材。
【考案の効果】
【００１１】
本考案の壁面パネルの表面材及びこの表面材を用いた壁面パネルでは、表面材に、螺着部材が螺着可能な固定部が固着されているので、反対側の表面材にボルトなどを挿通するための貫通孔は開設されていない。またしたがって、螺着されたボルトなどが、反対側の表面材を貫通して露呈することが無い。このため、表裏の２枚の表面材の一方の側から、従来であれば設けられていた貫通孔を介した反対側への漏水は防止でき、また表裏の２枚の表面材の一方側の表面材には貫通孔が設けられていないのでボルトなどの部材の結露をより防止でき、さらにまた表裏の表面材の一方側からの螺着作業が可能であるので、ボルトなどの固定部材の取り付けの作業性を向上させることができる。
【図面の簡単な説明】
【００１２】
【図１】図１は、本考案の壁面パネルを複数組み合わせた壁面パネルユニットの一部正面図である。
【図２】図２は、本考案の壁面パネルの側面視一部縦断面図である。
【図３】図３は、本考案の壁面パネルの固定部周辺を示す要部拡大平面図である。
【図４】図４は、本考案の壁面パネルの固定部の拡大平面図である。
【図５】図５は、本考案の壁面パネルの固定部の斜視図である。
【図６】図６は、本考案の壁面パネルの固定部の別の斜視図である。
【図７】図７は、本考案の壁面パネルを複数組み立てて外壁を構築する際の施工状態を示す図である。
【図８】図８は、本考案の壁面パネルに用いられるブラケットの別の例である。
【図９】図９は、本考案の壁面パネルに用いられるブラケットの別の例である。
【考案を実施するための形態】
【００１３】
以下、本考案の壁面パネルの補強材及びこの補強材を用いた壁面パネルについて、図面に示した実施の形態を用いて説明する。図１に示されるように、本考案の壁面パネル１０は正面視横長の矩形状の平板形状に形成されている。壁面パネル１０は一定の大きさに形成されており、このような壁面パネル１０が複数組み合わされて、例えば製造工場や冷蔵倉庫・ドライ倉庫などの躯体の壁面を構成する壁面パネルユニット１を構成することになる。
【００１４】
壁面パネル１０は、図１に示されるように、本例では横長の長方形状に形成されている。本例では、この壁面パネル１０は、縦が約９００ｍｍ、横が約３０００ｍｍ、厚みが約７５ｍｍに形成されているが、これらは種々の変更が可能であり、平板状の壁面パネルを組み合わせた壁面パネルユニットであれば、各種の寸法に制限はない。壁面パネル１０は、図２及び図３に示されるように、表側表面材２０及び裏側表面材３０と、これらの表面材２０，３０の間に挟み込まれた断熱材４０を備えている。なお、本例では、躯体の壁面の外側の表面材を表側表面材２０とし、壁面の裏側の表面材を裏側表面材３０とする。
【００１５】
表側表面材２０及び裏側表面材３０は、表面側にポリエステル系樹脂等、裏面側にエポキシ系樹脂等を塗装した溶融亜鉛めっき鋼板である。表側表面材２０及び裏側表面材３０共に、縦が約９００ｍｍ、横が約３０００ｍｍ、厚みが約０．５ｍｍに形成されているが、これらは種々の変更が可能であり、各種の寸法に制限はない。そして本例では、表側表面材２０は屋外側に、裏側表面材３０は屋内側に配設されるように定められている。なお、材質としては、ほうろう鋼板、フッ素樹脂塗装鋼板その他、耐熱性の高い特殊鋼板、ステンレス鋼板、非鉄金属板あるいはそれらの合金板等であっても良い。
【００１６】
断熱材４０は、二酸化けい素や酸化カルシウム等を材料とするいわゆるロックウールである。断熱材４０は、挟み込む表側表面材２０及び裏側表面材３０と同様に、縦が約９０００ｍｍ、横が約３０００ｍｍに形成されている。そして断熱材４０は、前述したように、壁面パネル１０の両表面材２０，３０の間に充填された状態においては、壁面パネル１０の厚みが約７５ｍｍとなるように両表面材２０，３０の間において圧縮された状態とされている。そしてこの断熱材４０は、ウレタン樹脂系等の接着剤により、両表面材２０，３０の裏側面に接着固定されている。なお断熱材は、例えば発泡スチレン、発泡ウレタン等の板状の発泡樹脂やグラスウール等であっても良い。
【００１７】
図２に示されるように、壁面パネル１０の下端辺は、幅方向において中央が凹状に形成された凹状部１２とされている。一方、壁面パネル１０の上端辺は、幅方向において中央が凸状に形成された凸状部１４とされている。そして複数の壁面パネル１０の間には、凹状部１２及び凸状部１４に嵌合する形状の嵌合部材１５ａ，１５ｂが取り付けられている。そして複数の壁面パネル１０はその上下方向において、嵌合部材１５を介して、下方の壁面パネル１０の凸状部１４がその上方の壁面パネル１０の凹状部１２に嵌合されるようにして組付けられている。またこれらの嵌合部材１５ａ，１５ｂ間には、シリコン系樹脂のシーリング材が塗布されている。
【００１８】
また同様に、図３に示されるように、壁面パネルの１０の平面視左端辺は凹状部１６とされ、平面視右端辺は凸状部１８とされている。そして複数の壁面パネル１０の間には、凹状部１６及び凸状部１８に嵌合する形状の嵌合部材１９ａ，１９ｂが取り付けられている。そして複数の壁面パネル１０は、上下方向におけるのと同様に、左右方向においても、シーリング材が塗布された状態で、左右の壁面パネル１０が嵌合部材１９ａ，１９ｂを介して、凹状部１６と凸状部１８とが嵌合されるようにして組付けられている。
【００１９】
ついで、固定部５０について説明する。図４に示されるように、本例の壁面パネル１０の裏側表面材３０には、その内側面（断熱材４０が収容される側の面）に金属製の固定部５０が固着されており、より具体的には内側面に溶着されている。図５及び図６に示されるように、固定部５０は、平板状のプレート状の補強部５２と、ナット部６０とを備えており、これらの補強部５２及びナット部６０も、互いに溶着されている。ナット部６０は、２個ついているがいずれか１つを使用し、他の１つは予備として使用する。ボルト７０を締め付ける時に誤ってナットのネジ山が破壊されてしまった場合や、壁面パネル１０の断熱材としてウレタンフォームを使用する場合にウレタンがナット部６０の雌ねじ部６２に漏れることによりボルト７０が締めつけられなくなった場合等に予備用のナット部６０を使用する。
【００２０】
図４から図６に示されるように、補強部５２は、おおよそ平板のプレート状に形成されており、ボルト７０が挿通される貫通孔５４が開設された本体部５３と、本体部５３の左右方向の一方の側において、本体部５３から屈曲して「Ｌ字」状に連設され、その先端片５６は本体部５３と平行に形成された屈曲部５５を備えている。一方、補強部５２は、本体部５３の左右方向における屈曲部５５と反対側においては、屈曲部５５よりも小さくごくわずかに屈曲され、屈曲部５５と同方向に屈曲して「Ｌ字」状に連設され、その先端片５８が本体部５３と平行に形成された屈曲部５７を備えている。また、補強部５２には壁面パネル１０内に断熱材としての液体状の発泡樹脂フォームを注入する際に壁面パネル１０内部への流動性を上げるために開口された流通孔８６が形成されている。
【００２１】
ナット部６０は、前述した補強部５２の本体部５３に溶着されている。ナット部６０は、一般的なナットと同様の構成を備えており、そのような一般的なナットを利用して製造することができる。ナット部６０は、その雌ねじ部６２の軸心を補強部５２の本体部５３の貫通孔５４の軸心と同じ位置となるようにして補強部５２に溶着されており、貫通孔５４に挿通させたボルト７０がそのまま補強部５２の貫通孔５４に螺着できるように構成されている。また、裏側表面材３０には、このような固定部５０が取り付けられる位置に、補強部５２の貫通孔５４及びナット部６０の雌ねじ部６２の軸心と同じ軸心となるように、貫通孔３２が開設されている。そして図４に示されるように、補強部５２、ナット部６０及び裏側表面材３０が互いに固着されている。このようにして補強部５２及びナット部６０が固着された固定部５０が予め裏側表面材３０に固着されている。
【００２２】
このように構成された壁面パネル１０の複数は、図３及び図４に示されるように、建築物の躯体側の部材Ｘに取り付けられている。部材Ｘへの壁面パネル１０の固定は、ボルト７０とブラケット８０を用いて行われている。ブラケット８０は、平面視「コ字」状の本体部８２と、本体部８２の一端から延設された固定片８４を備えている。本体部８２には、ボルト７０を挿通可能な貫通孔８３が開設されている。そしてボルト７０が、この貫通孔８３を通して挿通され、裏側表面材３０に固着されている補強部５２の貫通孔５４に挿通され、さらにはナット部６０の雌ねじ部６２にねじ込まれて、ブラケット８０を裏側表面材３０に固定している。ボルト７０は、ブラケット８０が固定部５０に対して固定された状態では、その先端が固定部５０のナット部６０からわずかに突出する長さに形成されている。よって、ボルト７０の先端は反対側の表側表面材２０からは距離をおいた位置にとどまっている。本例では、ボルト７０の先端は、壁面パネル１０の厚みの約３分の１程度しか侵入していない状態となっている。
【００２３】
そしてこの固定されたブラケット８０の固定片８４は、部材Ｘの平面視「Ｃ字」状の胴縁材Ｙの一部を裏側表面材３０に押し付けるようにして裏側表面材３０との間に胴縁材Ｙを挟持固定し、部材Ｘが裏側表面材３０に固定されている。胴縁材Ｙは、リップ溝形鋼と呼ばれるものであり、一般構造用圧延鋼材(JIS G 3101)等の材質により形成されている。なお、前述の通り、断熱材４０は表側表面材２０及び裏側表面材３０に接着固定されている。またさらに、嵌合部材１９ａ，１９ｂを介して、表側表面材２０と裏側表面材３０とが固定されている。
【００２４】
次に、このように構成された壁面パネル１０を複数組み合わせて構成される壁面パネルユニット１の組付け方法について説明する。図７に示されるように、各壁面パネル１０は、横方向に隣り合う複数の壁面パネル１０の接合部の上下方向に沿って配設された胴縁材６０に固定されている。この胴縁材６０を用いた壁面パネル１０の固定は、前述したように、図３に示されるようにボルト７０及びブラケット８０を介して、胴縁部６０と固定部５０とを用いて行われる。より具体的には、ブラケット８０を、その固定片８４によって胴縁材Ｙの一部を抑え込むようにしながら、ボルト７０を用いてブラケット８０を固定部５０にねじ込む。この際に、固定部５０乃至固定部５０のナット部６０は前述の通り予め裏側表面材３０に固着されているので、壁面裏側、すなわち裏側表面材３０側からボルト７０をねじ込むだけでブラケット８０の裏側表面材３０に対する固定を行うことができる。つまり、表側表面材２０側でナットを保持固定したりする作業は必要なく、裏側表面材３０側からの作業だけで固定を完了させることができる。したがって、表側表面材２０側でナットを保持するための作業者を不要とすることができる。このようにして壁面の左右方向において複数の壁面パネル１０を組み立てる。そして、上方に向かってさらに複数の壁面パネル１０を順次組み立てて壁面パネルユニット１を組み立てる。なおブラケット８０は、例えば図８に示されるようなアルミニウム製のブラケット８０ａや、図９に示されるようなスチール製のブラケット８０ｂを用いることとしても良い。
【００２５】
このように構成されている壁面パネル１０は、壁面パネル１０を建築物の躯体側の部材Ｘに固定するためのボルト７０が、裏側表面材３０に固着された固定部５０に対して固定可能であり、またボルト７０の先端は固定された状態で壁面パネル１０の厚み方向の途中にとどまっており、反対側の表側表面材２０にはボルト７０を挿通させて固定するための貫通孔を設ける必要がない。よって、裏側表面材３０側から表側表面材２０への漏水をより低減させることができる。また、ボルト７０が表側表面材２０の外側に露呈することが無いので、表側表面材２０側及び裏側表面材３０側の温度差によりボルト７０が結露する恐れを減少させることができる。また、ボルト７０を介して表側表面材２０及び裏側表面材３０間の断熱性が損なわれるおそれも少なくすることができる。また、固定部５０は、補強部５２に対して汎用的なナットを用いたナット部６０を用いることができるので、簡便・安価に固定部５０を用意することができる。
【００２６】
本考案の壁面パネルの表面材及び壁面パネルは、前述した壁面パネル１０等に限られるものではなく、本考案の主旨の範囲内で適宜変更が可能である。例えば、前述の固定部５０は裏側表面材３０に固着されているが、表側表面材２０に固着するものとすることも可能である。また、前述の固定部５０は補強部５２とナット部６０を備えていたが、ナット部６０を直接表面材に固着することも可能である。また、補強部５２ではなく他の形状等の部材を用いてナット部６０を表面材に固着することも可能である。また、表面材側に固定する固定部は、前述の例ではナット部６０を備えこれにボルトを螺着する構成としていたが、逆に、固定部にはボルトを備え、これにナットを螺着することとしても良い。また、前述の固定部５０は裏側表面材３０に溶着して固着されているが、他の手段、例えば接着やねじ止めによって固定することを排除するものではない。
【産業上の利用可能性】
【００２７】
本考案は、断熱性を必要とされる種々の建築物及び構造物に用いる壁面パネルの表面材及びこの表面材を用いた壁面パネルに広く利用することができる。
【符号の説明】
【００２８】
１；壁面パネルユニット、１０；壁面パネル、１２；凹状部、１４；凸状部、１５ａ，１５ｂ；嵌合部材、１６；凹状部、１８；凸状部、１９ａ，１９ｂ；嵌合部材、２０；表側表面材、３０；裏側表面材、３２；貫通孔、４０；断熱材、５０；固定部、５２；補強部、５３；本体部、５４；貫通孔、５５；屈曲部、５６；先端片、５７；屈曲部、５８；先端片、６０；ナット部、６２；雌ねじ部、７０；ボルト、８０；ブラケット、８２；本体部、８３；貫通孔、８４；固定片、８６；流通孔、Ｘ；部材、Ｙ；胴縁材。
【図１】
0003235580.tif 000003
【図２】
0003235580.tif 000004
【図３】
0003235580.tif 000005
【図４】
0003235580.tif 000006
【図５】
0003235580.tif 000007
【図６】
0003235580.tif 000008
【図７】
0003235580.tif 000009
【図８】
0003235580.tif 000010
【図９】
0003235580.tif 000011